【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
物理層自動リピート要求を実装する加入者ユニットであって、
データを受信し、受信したデータを、各パケットが特定の符号化／データ変調を有するパケットにフォーマットし、前記パケットを送信し、所与のパケットに対応する確認応答を受信できないことに応答してパケットを再送するための物理層送信機と、
前記対応する確認応答を受信するための確認応答受信機と、
再送統計を収集し、該収集した統計を用いて前記特定のデータ符号化／変調を調節するための適応型変調・符号化コントローラであって、前記収集した再送統計が少ない再送数を示す場合、前記特定の符号化／データ変調として高容量の符号化／データ変調方式を選択し、前記収集した再送統計が多い再送数を示す場合、前記特定の符号化／データ変調として低容量の符号化／データ変調方式を選択すること
を有する送信機と、
前記パケットを復調するための物理層受信機と、
バッファリング、復号化およびパケット誤りの検出を行う合成器／復号器と、
各パケットについて、該パケットが許容可能な誤り率を有する場合、確認応答を生成するための確認応答生成器と、
を有する受信機と
を備えたことを特徴とする加入者ユニット。
【請求項２】
前記特定の符号化／データ変調は、前方誤り訂正（ＦＥＣ）であることを特徴とする請求項１に記載の加入者ユニット。
【請求項３】
前記パケットは、直交周波数分割多元接続（ＯＦＤＭＡ）エアインタフェースを用いて送信され、前記ＦＥＣ符号化／データ変調の調節は、ＯＦＤＭＡセット内のサブチャネルを選択的に無効化することに加えて実行されることを特徴とする請求項２に記載の加入者ユニット。
【請求項４】
前記パケットは、シングルキャリア周波数領域等化（ＳＣ−ＦＤＥ）エアインタフェースを用いて送信されることを特徴とする請求項１に記載の加入者ユニット。
【請求項５】
前記加入者ユニットは、符号分割多元接続（ＣＤＭＡ）エアインタフェースを使用し、前記確認応答は、高速フィードバックチャネルで送信されることを特徴とする請求項１に記載の加入者ユニット。
【請求項６】
パケットが許容不能な誤り率を有する場合、前記確認応答生成器は、否定応答を送信することを特徴とする請求項１に記載の加入者ユニット。
【請求項７】
加入者ユニットによって使用される物理自動要求リピート装置であって、
データを受信するための手段と、
受信したデータを、送信のために、各パケットが特定の符号化／データ変調を有するパケットにフォーマットするための手段と、
前記パケットを送信するための手段と、
パケットに対する確認応答が受信されない場合に該パケットを再送するための手段と、
再送統計を収集するための手段と、
収集した再送統計を用いてそれぞれの特定のデータ変調を調節するための手段であって、前記収集した再送統計が少ない再送数を示す場合、前記特定の符号化／データ変調として高容量の符号化／データ変調方式を選択し、前記収集した再送統計が多い再送数を示す場合、前記特定の符号化／データ変調として低容量の符号化／データ変調方式を選択する手段と
を有する送信機と、
パケットを受信するための手段と、
各受信パケットの復号化および誤り検査を行うための手段と、
前記受信パケットが許容可能な誤り率を有する場合、物理層において確認応答を生成するための手段と
を有する受信機と
を備えたことを特徴とする装置。
【請求項８】
前記特定の符号化／データ変調は、前方誤り訂正（ＦＥＣ）であることを特徴とする請求項７に記載の加入者ユニット装置。
【請求項９】
前記パケットは、直交周波数分割多元接続（ＯＦＤＭＡ）エアインタフェースを用いて送信され、前記ＦＥＣ符号化／データ変調の調節は、ＯＦＤＭＡセット内のサブチャネルを選択的に無効化することに加えて実行されることを特徴とする請求項７に記載の加入者ユニット装置。
【請求項１０】
前記パケットは、シングルキャリア周波数領域等化（ＳＣ−ＦＤＥ）エアインタフェースを用いて送信されることを特徴とする請求項７に記載の加入者ユニット装置。
【請求項１１】
前記確認応答は、符号分割多元接続（ＣＤＭＡ）エアインタフェースを用いて高速フィードバックチャネルで送信されることを特徴とする請求項７に記載の加入者ユニット装置。
【請求項１２】
パケットが許容不能な誤り率を有する場合、前記生成手段は、否定応答を生成することを特徴とする請求項７に記載の加入者ユニット装置。
【請求項１３】
ブロードバンド無線通信をサポートするための加入者ユニットであって、
通信ネットワークからデータブロックを受信し、ｎ個の送信機へパケットを順次搬送するためのキューを有するシーケンサと、
データチャネルを通じて前記パケットを送信するためのｎ個の送信機と、
前記データチャネルを通じて戻りパケットを受信するためのｎ個の受信機と、
前記ｎ個の受信機の１つにそれぞれ結合したｎ個のハイブリッドＡＲＱ復号器と
を備え、
前記ｎ個のハイブリッドＡＲＱ復号器は、許容可能な誤り率を有するパケットが受信されたときに許容可能な誤り率を有するパケットを出力し、確認応答を送信するためのフィードバックチャネルを有しており、再送の統計が収集され、該収集した再送統計が少ない再送数を示す場合、前記パケットを送信するために高容量の符号化／データ変調方式を選択し、前記収集した再送統計が多い再送数を示す場合、前記パケットを再送するために低容量の符号化／データ変調方式を選択することを特徴とする加入者ユニット。
【請求項１４】
前記ｎ個の信号送信機はそれぞれ、送信したパケットをバッファメモリに一時的に格納し、それにより、前記ｎ個の送信機のそれぞれは、格納したパケットに対する確認応答信号が前記ｎ個の受信機の１つで受信されたときに、別のブロックの受信に備えて、前記格納したパケットを消去することを特徴とする請求項１３に記載の加入者ユニット。
【請求項１５】
前記ｎ個の送信機はそれぞれ、送信したパケットをバッファメモリに一時的に格納し、それにより、前記ｎ個の送信機は、格納したパケットに対する確認応答信号が前記ｎ個の受信機の１つで受信されていないときに、該送信機のバッファメモリに一時的に格納したパケットを再送することを特徴とする請求項１３に記載の加入者ユニット。
【請求項１６】
前記ｎ個の送信機のそれぞれは、最大再送回数の後に確認応答信号が受信されない場合、該送信機のバッファメモリを消去することを特徴とする請求項１３に記載の加入者ユニット。
【請求項１７】
前記最大再送回数は、運用者により定義される１から８までの範囲を有する整数であることを特徴とする請求項１６に記載の加入者ユニット。
【請求項１８】
前記ｎ個の受信機のそれぞれは、誤り訂正を容易にするために、再送されたパケットをもとの送信されたパケットと組み合わせることを特徴とする請求項１３に記載の加入者ユニット。
【請求項１９】
確認応答信号を受信することができない送信機は、前記パケットのもとの送信で使用された符号化技法とは異なる符号化技法を使用することにより該パケットを符号化することを特徴とする請求項１３に記載の加入者ユニット。
【請求項２０】
前記ｎ個の送信機のそれぞれは、ターボ符号化を使用し、前記ｎ個の復号器のそれぞれは、誤り訂正を容易にするために、もとの送信と再送との符号合成を使用することを特徴とする請求項１３に記載の加入者ユニット。
【請求項２１】
前記パケットは、直交周波数分割多元接続（ＯＦＤＭＡ）エアインタフェースを用いて送信され、ＯＦＤＭＡセット内の周波数サブチャネルは、選択的に無効化可能であることを特徴とする請求項１３に記載の加入者ユニット。
【請求項２２】
前記パケットは、シングルキャリア周波数領域等化（ＳＣ−ＦＤＥ）エアインタフェースを用いて送信されることを特徴とする請求項１３に記載の加入者ユニット。
【請求項２３】
前記確認応答は、符号分割多元接続（ＣＤＭＡ）エアインタフェースを用いて高速フィードバックチャネルで送信されることを特徴とする請求項１３に記載の加入者ユニット。